(57)【要約】      （修正有）【課題】素子の設計組み合わせが簡単で、製作コストが低く、簡単に素早く組み立てることができ、且つ好ましい密封及び防水効果を有する齧歯類動物駆除機を提供する。【解決手段】齧歯類動物駆除機は、一端に開口及び第１のネジ山１３が設けられたメインロッド１と、前記第１のネジ山１３と相互に螺合接続する第２のネジ山２１と第１の係止接続部２２とが設けられたシールキャップ２と、一端に、前記シールキャップ２の前記第１の係止接続部２２と相互に係止接続される第２の係止接続部３６が設けられた電池収容ベース３と、を含むことを特徴とする。これにより、素子の設計組み合わせが簡単で、製作コストが低く、簡単に素早く組み立てることができ、且つ好ましい密封及び防水効果を達成することができる。【選択図】図１
0003182769.tif 000002
【実用新案登録請求の範囲】
【請求項１】
一端に開口及び第１のネジ山が設けられたメインロッドと、
前記第１のネジ山と相互に螺合接続する第２のネジ山と第１の係止接続部とが設けられたシールキャップと、
前記メインロッド内に設置され、一端に、前記シールキャップの前記第１の係止接続部と相互に係止接続される第２の係止接続部が設けられた電池収容ベースと、
前記電池収容ベース上に設置された制御回路基板と、
を含むことを特徴とする齧歯類動物駆除機。
【請求項２】
前記シールキャップの内部に密封素子が設置され、前記メインロッドの一端が前記密封素子に当接することによって、前記密封素子が前記シールキャップと前記メインロッドとの間に挟み込まれることを特徴とする請求項１に記載の齧歯類動物駆除機。
【請求項３】
前記第１のネジ山が雄ネジ又は雌ネジであり、前記第２のネジ山が雌ネジ又は雄ネジであることを特徴とする請求項１または２に記載の齧歯類動物駆除機。
【請求項４】
前記第１の係止接続部が係止接続溝又は係止接続体であり、前記第２の係止接続部が係止接続体又は係止接続溝であることを特徴とする請求項１〜３のいずれか１項に記載の齧歯類動物駆除機。
【請求項５】
前記第１の係止接続部に設けられた凹部と、前記第２の係止接続部に設けられ前記凹部と相互に係止接続される凸部と、を含む位置決め構造を更に含むことを特徴とする請求項１〜４のいずれか１項に記載の齧歯類動物駆除機。
【請求項６】
前記第１の係止接続部に設けられた前記凸部と、前記第２の係止接続部に設けられ前記凸部と相互に係止接続される凹部と、を含む位置決め構造を更に含むことを特徴とする請求項１〜４のいずれか１項に記載の齧歯類動物駆除機。
【考案の詳細な説明】
【技術分野】
【０００１】
本考案は、齧歯類動物駆除機に関し、特に可聴周波数を生成することができ、齧歯類動物を駆除するための駆除機として用いることができる齧歯類動物駆除機に関する。
【背景技術】
【０００２】
齧歯類動物（例えばマーモット等）は農作物の根の付近の土壌を掘り返すことを好み、四方に通じる通り道を残すため、植物の成長に直接危害を及ぼし、その他の害虫及びネズミが一時的に住みつく問題を引き起こしやすく、ひいては農作物の病害をもたらし、農民に面倒や損失を与えることになる。既存の技術においては、一定の時間的間隔を置いて音波、音声を発することによって、地下のネズミ類を駆逐し、ネズミ駆除の目的を達成することができる。
【０００３】
例えば、特許文献１（台湾実用新案登録公告公報第３０３６００号）において、「電池交換が容易なマーモット駆除機」が開示されている。この駆除機は、外管と、前記外管に摺設されるとともに駆除ユニットが固着される取付けフレームと、前記外管の頂端開口に被せられる上蓋と、を含み、前記上蓋と前記取付けフレームとの間に連結部材が接続され、これにより使用者が前記上蓋を上方に引き出した場合、同時に取付けフレームも外管の中から外へ引き出すことができ、駆除ユニットの電池を交換するのに便利であることを特徴とする。また、その上蓋はボルトが貫通されるとともにナットによって連結部材が上蓋の底端にロック固定される。また、ボルト頭部にはプルハンドルがヒンジ接続され、普段はそのプルハンドルを上蓋に密着するよう寝かせておき、それによって上蓋から突出する高度を低減している。
【０００４】
しかしながら、上述したマーモット駆除機では、操作の過程全体において、まずプルハンドルを約１０〜１２秒回転させて、ボルトとナットとが緩む状態になるようにする必要がある。その主な目的は、電池を交換するには、頂部蓋板、防水ゴムパッド及びパッキンの間に間隙が形成される状態にならなければ、手動でプルハンドルに力を加えて取付けフレームを外に引き出すことができないためである。即ち、操作の過程において、非常に多くの時間を費やしてプルハンドルを回転させて各素子間に間隙が形成される状態にしなければ、引き出す動作を行うことができない（頂部蓋板、防水ゴムパッド及びパッキンは通常締め付けられた状態であって初めて、その防水性を保持することができるため、３つの素子が締め付けられた状態で、プルハンドルを回転させてボルトとナットが緩むようにして３つの素子の間に緩みによる間隙が形成されるのでなければ、引き出すことができない）。
【０００５】
従って、上述したマーモット駆除機では、電池交換の操作に必要な時間が長く且つ煩雑であり、しかも素子構成が多いため、製作コストが高くなる。また、頂部蓋板、防水ゴムパッド及びパッキンにはいずれも貫通孔が設けられ、ボルトが各貫通孔を貫けるようにしている。この装置は戸外に設置され長期にわたって繰り返し使用されるため、長期間太陽光に曝され雨に濡れると、ボルトが腐食しやすくなり、ボルトとナットとの間が度重なる締め付け（緩め）動作によって、摩耗しやすくなり、同時に防水ゴムパッドの貫通孔の部位が広がり、変形し、ひいては間隙が生じ、空気及び雨水が浸透することとなり、各貫通孔の箇所から内部に浸み込みやすくなり、取付けフレーム内の回路の腐食や短絡を引き起こすことになる。
【先行技術文献】
【特許文献】
【０００６】
【特許文献１】台湾実用新案登録公告公報第３０３６００号
【考案の概要】
【考案が解決しようとする課題】
【０００７】
そのため、本考案の考案者は、上述した欠点を改善できることを発見し、鋭意研究を行うとともに学理の運用を通じて、設計が合理的で且つ上述した欠点を効果的に改善する本考案を見出すに至った。
【０００８】
本考案は、素子の設計組み合わせが簡単で、製作コストが低く、簡単に素早く組み立てることができ、且つ好ましい密封及び防水効果を有する齧歯類動物駆除機を提供することを課題とする。
【課題を解決するための手段】
【０００９】
上述した課題を解決するために、本考案は、一端に開口及び第１のネジ山が設けられたメインロッドと、前記第１のネジ山と相互に螺合接続する第２のネジ山と第１の係止接続部とが設けられたシールキャップと、前記メインロッド内に設置され、一端に、前記シールキャップの前記第１の係止接続部と相互に係止接続される第２の係止接続部が設けられた電池収容ベースと、を含むことを特徴とする齧歯類動物駆除機を提供する。
【考案の効果】
【００１０】
本考案は以下の有益な効果を有する。
本考案は、メインロッド、シールキャップ、電池収容ベース及び制御回路基板を含み、素子の設計組み合わせが簡単で、製作コストが低く、シールキャップと電池収容ベースが簡単な係止接続方式のみで一体に接続されているため、簡単に素早く組み立てることができる。
【００１１】
本考案のシールキャップと電池収容ベースとの接続では、メインロッドの一端に完全に密閉するよう被せられる状態となり、如何なる貫通孔もないため、好ましい密封及び防水効果を有する。
【００１２】
本考案は、操作の過程全体において、シールキャップを４〜６秒回転させるだけで、シールキャップに接続された電池収容ベースを素早く外に引き出しメインロッドから離脱させることができるため、素早く電池を交換する目的を達成することができる。
【図面の簡単な説明】
【００１３】
【図１】本考案の第１の実施例を示す立体分解図である。
【図２】本考案の第１の実施例を示す他の立体分解図である。
【図３】本考案の第１の実施例を示す立体外観図である。
【図４】本考案の第１の実施例を示す断面図である。
【図５】本考案の第２の実施例を示す断面図である。
【図６】本考案の第３の実施例を示す立体分解図である。
【図７】本考案の第４の実施例を示す立体分解図である。
【考案を実施するための形態】
【００１４】
本考案の特徴及び技術内容を更に理解できるように、以下、本考案について図面を用いながら詳しく説明する。但し、図面はあくまで説明する上での参考のために提供するものであって、本考案を限定するものではない。
【実施例】
【００１５】
＜第１の実施例＞
図１乃至４に示すように、本考案の齧歯類動物駆除機は、メインロッド１、シールキャップ２、電池収容ベース３及び制御回路基板４を含む。メインロッド１は中空ロッド体であり、好ましくは金属材質によって製作されるがそれに制限されない。メインロッド１の外形も制限されず、例えば、円柱体または多辺形柱体等であってもよい。メインロッド１の一端（頂端）には開口１１が設けられ、開口１１を経由して電池収容ベース３及び制御回路基板４等がメインロッド１の内部に入れられる。
【００１６】
メインロッド１の他端（底端）には、地下に差し込みやすくするために尖状端１２が設けられてもよい。尖状端１２は、メインロッド１の他端に一体成形されてもよく、また組み合わせの方法を利用してメインロッド１の他端に接続されるようにしてもよい。メインロッド１の開口１１が設けられる一端には、第１のネジ山１３が設けられる。第１のネジ山１３は、雄ネジ又は雌ネジであってもよい。本実施例では第１のネジ山１３は雄ネジである。
【００１７】
シールキャップ２は中空の蓋体であり、その外形は制限されない。シールキャップ２には第１のネジ山１３に対応する第２のネジ山２１が設けられる。第２のネジ２１は、雌ネジ又は雄ネジであってもよい。本実施例では第２のネジ山２１は雌ネジである。第２のネジ山２１が第１のネジ山１３と相互に螺合接続されることで、シールキャップ２が螺合接続の方法でメインロッド１の開口１１を密封する。
【００１８】
シールキャップ２には、電池収容ベース３への係止接続に用いられる第１の係止接続部２２が設けられる。第１の係止接続部２２の構造は制限されず、例えば、係止接続溝又は係止接続体であってもよい。本実施例では、第１の係止接続部２２は係止接続溝ａである。係止接続溝ａは円形溝形状又は多辺形溝形状等であってもよく、その形状は制限されない。本実施例では、係止接続溝ａは円形溝形状である。
【００１９】
シールキャップ２の内部には、密封素子２３が設置される。密封素子２３はゴムパッドであってもよいが、密封素子２３の材質及び形式は制限されない。密封素子２３は、シールキャップ２の内部に設置される。シールキャップ２がメインロッド１に螺合接続されると、メインロッド１の一端が密封素子２３に当接し、それによって密封素子２３がシールキャップ２とメインロッド１との間に挟み込まれ、それによって密封及び防水の効果が達成される。
【００２０】
電池収容ベース３は、メインロッド１の内部に設置される。電池収容ベース３は電池３２を収容するための電池室３１を有する。電池室３１の両端には、電池３２と接触して電気的接続を達成するための適切な導電部材３３及び３４が設けられる。
【００２１】
制御回路基板４は、電池収容ベース３上に設置される。本実施例では、電池収容ベース３は収容空間３５を有し、制御回路基板４はその収容空間３５内に設置される。更に制御回路基板４は、導電部材３３及び３４と電気的に接続され、電池３２の電力が導電部材３３及び３４を介して制御回路基板４に伝送される。制御回路基板４は可聴周波数振動回路であってもよく、可聴周波数振動回路で生成された可聴周波数振動がメインロッド１を通過することで、齧歯類動物駆除の効果を達成することができる。但し、制御回路基板４の形式及び構造は制限されず、齧歯類動物を駆除する可聴周波数（音波、音声）を生成することができさえすればよい。制御回路基板４は従来技術であるため、詳しい説明は省略する。
【００２２】
電池収容ベース３には、シールキャップ２に係止接続するための、第１の係止接続部２２に対応する第２の係止接続部３６が設けられる。第２の係止接続部３６の構造は制限されず、例えば係止接続体又は係止接続溝であってもよい。本実施例では、第２の係止接続部３６は係止接続体ｃである。係止接続体ｃは円柱形又は多辺柱形等であってもよく、その形状は制限されない。本実施例では、係止接続体ｃは円柱形である。
【００２３】
前記シールキャップ２の第１の係止接続部２２（例えば係止接続溝ａ）と電池収容ベース３の第２の係止接続部３６（例えば係止接続体ｃ）とが相互に係止接続されることで、シールキャップ２が係止接続の方法で電池収容ベース３の一端に接続される。即ち、シールキャップ２が電池収容ベース３と一体に接続される。
【００２４】
また、第１の係止接続部２２にはガイド溝ｂが設けられ、第２の係止接続部３６にはガイドレールｄが設けられてもよい。ガイド溝ｂは係止接続溝ａの内壁に設けられ、ガイドレールｄは係止接続体ｃの外壁に設けられる。ガイド溝ｂとガイドレールｄとは互いに組み合わせられ、これによって、シールキャップ２と電池収容ベース３とが安定して接続するようにガイドされる。本考案の他の実施例においては、第１の係止接続部２２にはガイドレール（図は省略）が設けられ、第２の係止接続部３６にはガイド溝（図は省略）が設けられ、ガイドレールとガイド溝とが互いに組み合わせられることによって、シールキャップ２と電池収容ベース３とが安定して接続するようにガイドされるようにしてもよい。
【００２５】
本考案の第１の係止接続部２２及び第２の係止接続部３６が相互に係止接続されることによって、シールキャップ２、密封素子２３及び電池収容ベース３が一体に接続され、これにより使用者はシールキャップ２を開けた時に、同時に電池収容ベース３をメインロッド１の中から外へ引き出すことができ、電池収容ベース３内の電池３２を交換しやすくなる。
【００２６】
本考案は、メインロッド１、シールキャップ２、電池収容ベース３及び制御回路基板４を含み、素子の設計組み合わせが簡単で、製作コストが低く、シールキャップ２と電池収容ベース３が簡単な係止接続方式のみで一体に接続されているため、簡単に素早く組み立てることができる。
【００２７】
本考案のシールキャップ２と電池収容ベース３との接続では、メインロッド１の一端（頂端）に完全に密閉するよう被せられる状態となり、如何なる貫通孔もなく、且つシールキャップ２内に密封素子２３が設けられるため、好ましい密封及び防水効果を有する。
【００２８】
本考案は、操作過程全体において、シールキャップ２を４〜６秒回転させるだけで、シールキャップ２に接続された電池収容ベース３を素早く外に引き出しメインロッド１から離脱させることができるため、素早く電池を交換する目的を達成することができる。
【００２９】
＜第２の実施例＞
図５に示すように、本実施例において、第１の係止接続部２２と第２の係止接続部３６との間には更に第１の係止接続部２２と第２の係止接続部３６とを位置決めするための位置決め構造５が設けられる。位置決め構造５は、第１の係止接続部２２に設けられる凹部５１と、第２の係止接続部３６に設けられる凸部５２と、を含んでもよい。この凹部５１及び凸部５２が相互に係止接続されることで、係止接続して位置決めする効果が提供され、それによってシールキャップ２がより安定して電池収容ベース３の一端に接続される。他の実施例において、位置決め構造５は、第１の係止接続部２２に設けられる凸部（図は省略）と、第２の係止接続部３６に設けられる凹部（図は省略）と、を含んでもよく、この凸部及び凹部が相互に係止接続されることで、同様に係止接続して位置決めする効果が達成される。
【００３０】
＜第３、第４の実施例＞
図６及び図７に示すように、本実施例では、第１の係止接続部２２は係止接続溝ａであり、この係止接続溝ａは、多辺溝形（例えば四辺、五辺又は六辺の溝形等）を呈している。本実施例では、第２の係止接続部３６は係止接続体ｃであり、この係止接続体ｃは、多辺柱形（例えば、四辺、五辺又は六辺の柱形等）を呈している。シールキャップ２の第１の係止接続部２２（係止接続溝ａ）と、電池収容ベース３の第２の係止接続部３６（係止接続体ｃ）とが相互に係止接続されることで、シールキャップ２が係止接続の方法で電池収容ベース３の一端に接続される。
【００３１】
上記は本考案の好ましい実施例に過ぎず、本考案の範囲を限定するものではない。従って、本考案の明細書及び図面の内容を運用した等価の構造変化はすべて本考案の範囲に含まれる。
【符号の説明】
【００３２】
１    メインロッド
１１  開口
１２  尖状端
１３  第１のネジ山
２    シールキャップ
２１  第２のネジ山
２２  第１の係止接続部
ａ  係止接続溝
ｂ  ガイド溝
２３  密封素子
３    電池収容ベース
３１  電池室
３２  電池
３３  導電部材
３４  導電部材
３５  収容空間
３６  第２の係止接続部
ｃ  係止接続体
ｄ  ガイドレール
４  制御回路基板
５  位置決め構造
５１  凹部
５２  凸部
【図１】
0003182769.tif 000003
【図２】
0003182769.tif 000004
【図３】
0003182769.tif 000005
【図４】
0003182769.tif 000006
【図５】
0003182769.tif 000007
【図６】
0003182769.tif 000008
【図７】
0003182769.tif 000009